(57)【要約】【課題】フラップ部に生じるシワを抑制し、装着時の違和感や擦れを低減する。【解決手段】透液性表面シート３と不透液性裏面シート２との間に吸収体４が介在されるとともに、周囲に吸収体４の存在しないフラップ部Ｆが形成された生理用ナプキン１において、少なくとも前記生理用ナプキン１の少なくとも前側部分及び後側部分における前記フラップ部Ｆの外形が、該フラップ部Ｆの外形線に対する接線の向きを連続的に変化させた凸状曲線１１、１３と凹状曲線１２の組合せからなる波状の形状線１０とされ、且つこれら前側部分及び後側部分において、前記吸収体４の形状は、両側の漸次幅が狭まる直線状の傾斜線４ａ、４ａと、中央部においてこれら傾斜線４ａ、４ａ同士を結合する円弧状線４ｂとにより画成されるとともに、これら傾斜線４ａ、４ａ及び円弧状線４ｂに沿って前記波状の形状線１０が形成されている。【選択図】図４
2010115558.tif 000002
【特許請求の範囲】
【請求項１】
透液性表面シートと不透液性裏面シートとの間に吸収体が介在されるとともに、周囲に吸収体の存在しないフラップ部が形成された吸収性物品において、
少なくとも前記吸収性物品の前側部分及び後側部分における前記フラップ部の外形が、該フラップ部の外形線に対する接線の向きを連続的に変化させた凸状曲線と凹状曲線との組合せからなる波状の形状線とされ、且つこれら前側部分及び後側部分において、前記吸収体の形状は、両側の漸次幅が狭まる直線状の傾斜線と、中央部においてこれら傾斜線同士を結合する円弧状線とにより画成されるとともに、これら傾斜線及び円弧状線に沿って前記波状の形状線が形成されていることを特徴とする吸収性物品。
【請求項２】
前記吸収性物品の前側部分及び後側部分において、前記フラップ部は、前記吸収性物品の中央先端部では吸収体端縁から外形線までのフラップ幅が相対的に大きく形成され、両側の前記傾斜線に沿って形成された前記波状の形状線部分では吸収体端縁から外形線までのフラップ幅が相対的に小さく形成されている請求項１記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくはフラップ部のシワを防止して、装着時の違和感を低減した吸収性物品に関する。
【背景技術】
【０００２】
従来より、生理用ナプキン、パンティライナー、おりものシート、失禁パッドなどの吸収性物品Ｎとしては、例えば図８に示されるように、ポリエチレンシートまたはポリエチレンラミネート不織布などからなる裏面シート５０と、不織布または透孔性プラスチックシートなどからなる透液性表面シート５１との間に綿状パルプなどからなる吸収体５２を介在させるとともに、表面両側部にそれぞれ長手方向に沿ってサイド不織布５３を配設し、前記吸収体５２の周囲に前記裏面シート５０と表面シート５１又はサイド不織布５３とを接合させた、吸収体５２の存在しないフラップ部を形成したものが知られている。
【０００３】
この種の吸収性物品Ｎとしては、前記吸収体５２が略方形状または瓢箪形状に形成される関係上、外形線も全体的に略方形状、小判状または瓢箪形状に形成され、その前端部及び後端部は肌との接触をやわらげるため、単純な円弧状の曲線とされるのが一般的である（例えば下記特許文献１〜２参照）。
【０００４】
前記吸収性物品Ｎを下着２０に固定する際には、図９に示されるように、吸収性物品Ｎを局所にあてがい、側方に突出する前記ウイング状フラップＷ、Ｗを下着より取り出し、両ウイング状フラップＷ、Ｗを折返し線ＲＬ、ＲＬで折返し、下着のクロッチ部分を巻き込むようにしながら下着２０の股間部外面に接着するようにする。
【先行技術文献】
【特許文献】
【０００５】
【特許文献１】特開２００３−２７５２４０号公報
【特許文献２】特開２００４−４９６９６号公報
【発明の概要】
【発明が解決しようとする課題】
【０００６】
しかしながら、かかる吸収性物品Ｎでは、図１０に示されるように、例えば着座時に脚がＬＦの位置となる場合、フラップ部の前側部分の両側（同図中斜線で示した部分）は、脚の内側部分によって押されて、このフラップ部の両側にシワが発生する。さらに押圧力が加わると、両側に発生したシワが内方にまで進展して、前側部分のフラップ部全体のシワやめくれの原因となっていた。特に、前述の通り、全体的に略方形状、小判状又は瓢箪形状に形成された従来の吸収性物品Ｎにおいて、フラップ部の前側部分の両側は、脚の内側部分からの押圧力を受けやすく、フラップ部にシワが生じやすかった。
【０００７】
また、着座時には脚がＬＦの位置となるため、ショーツ自体にもシワがよる。したがって、フラップ部は、このショーツ自体に生じるシワと一体的に折れ曲がり、またショーツのシワが解除したときにはシワが残ることなくショーツに沿って平坦に戻ることが要求される。ところが、従来の吸収性物品Ｎでは前述の通り、フラップ部の前端部が単純な円弧状曲線で形成されているため、脚の内側部分からの押圧力と相まってフラップ部が折れ曲がったりめくれたりして、ショーツのシワが解除されたときでも、フラップ部の折れ曲がりやめくれは残ったままとなっていた。
【０００８】
前記フラップ部に生じたシワや折れ曲がり、めくれは、身体に当たって違和感の原因となったり、肌とシワとの擦れが生じやすくなったりするなどの問題を発生させていた。
【０００９】
一方、後方側のフラップ部においても、例えば歩行時などにおいては、図１０に示されるように、後方の脚がＬＢの位置となるが、この場合、前側フラップ部と同様に後側フラップ部においてもシワや折れ曲がり、めくれが生じ、違和感や擦れを生じる原因となっていた。
【００１０】
そこで本発明の主たる課題は、フラップ部に生じるシワを抑制して装着時の違和感や擦れを低減した吸収性物品を提供することにある。
【課題を解決するための手段】
【００１１】
前記課題を解決するために請求項１に係る本発明として、透液性表面シートと不透液性裏面シートとの間に吸収体が介在されるとともに、周囲に吸収体の存在しないフラップ部が形成された吸収性物品において、
少なくとも前記吸収性物品の前側部分及び後側部分における前記フラップ部の外形が、該フラップ部の外形線に対する接線の向きを連続的に変化させた凸状曲線と凹状曲線との組合せからなる波状の形状線とされ、且つこれら前側部分及び後側部分において、前記吸収体の形状は、両側の漸次幅が狭まる直線状の傾斜線と、中央部においてこれら傾斜線同士を結合する円弧状線とにより画成されるとともに、これら傾斜線及び円弧状線に沿って前記波状の形状線が形成されていることを特徴とする吸収性物品が提供される。
【００１２】
上記請求項１記載の発明では、吸収性物品の少なくとも前側部分及び後側部分におけるフラップ部の外形が、該フラップ部の外形線に対する接線の向きを連続的に変化させた凸状曲線と凹状曲線との組合せからなる波状の形状線とされているため、前側部分又は後側部分のフラップ部の両側が脚の内側部分によって押されても、波状の形状線がこの押圧力を漸次的に作用させるか、逸らすように作用し、フラップ部の両側部分に発生したシワが内方にまで進展するのを抑制できるようになるとともに、脚の動きによってショーツ自体に発生する伸び縮みによって発生する力に対しても、フラップ部の外形が前記波状の形状線で形成されるため、波状の形状線がこの押圧力を漸次的に作用させるか、逸らすように作用し、フラップ部に折れ曲がりやめくれが形成されることがなくなる。このため、フラップ部のシワが抑制され、装着時の違和感や擦れが低減できるようになる。
【００１３】
また、前記吸収性物品の前側部分及び後側部分において、吸収体の形状は、両側の漸次幅が狭まる直線状の傾斜線と、中央部においてこれら傾斜線同士を結合する円弧状線とにより画成され、これら傾斜線及び円弧状線に沿って前記波状の形状線が形成されている。すなわち、足の付け根と接触する部分の吸収体をカットした形状とし、前記波状の形状線をこれに沿わせているため、吸収性物品の前側部分及び後側部分の両側で脚の内側部分からの押圧力が低減され、フラップ部のシワの発生が低減できるようになる。
【００１４】
請求項２に係る本発明として、前記吸収性物品の前側部分及び後側部分において、前記フラップ部は、前記吸収性物品の中央先端部では吸収体端縁から外形線までのフラップ幅が相対的に大きく形成され、両側の前記傾斜線に沿って形成された前記波状の形状線部分では吸収体端縁から外形線までのフラップ幅が相対的に小さく形成されている請求項１記載の吸収性物品が提供される。
【００１５】
上記請求項２記載の発明では、着座時又は歩行時などにおいて、脚にかからない吸収性物品の中央先端部では、フラップ部の幅を大きくすることによって、体液の前漏れや後漏れに対応し得る構成とする一方で、脚の付け根に当たる波状の形状線が形成される部分ではフラップ部の幅を小さく形成することによって、フラップ部のシワやヨレを防止している。
【発明の効果】
【００１６】
以上詳説のとおり本発明によれば、フラップ部に生じるシワを抑制することができるため、装着時の違和感や擦れが低減できるようになる。
【図面の簡単な説明】
【００１７】
【図１】本発明に係る生理用ナプキン１の一部破断展開図である。
【図２】図１のII−II線矢視図である。
【図３】生理用ナプキン１に対する脚の位置を示すショーツ展開図である。
【図４】図３の生理用ナプキン１の前側部分の拡大図である。
【図５】ショーツの動きに伴うシワの方向を説明するショーツ展開図である。
【図６】図５の生理用ナプキン１の前側部分の拡大図である。
【図７】他の形態例を示す生理用ナプキン１の展開図である。
【図８】従来の吸収性物品Ｎを示す一部破断展開図である。
【図９】吸収性物品Ｎの装着状態を示す斜視図である。
【図１０】吸収性物品Ｎに対する脚の位置を示すショーツ展開図である。
【発明を実施するための形態】
【００１８】
以下、本発明の実施の形態について図面を参照しながら詳述する。図１は本発明に係る生理用ナプキン１の一部破断展開図であり、図２は図１のII−II線矢視図である。
【００１９】
前記生理用ナプキン１は、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合され、外周に吸収体４の存在しないフラップ部Ｆが形成されている。
【００２０】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。特に本発明では、後段で詳述するフラップ部ＦとショーツＳとの一体性を実現するために、裏面シート２としては、フィルムなどの柔軟性の高い素材を用いることが好ましい。
【００２１】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２２】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。特に本発明では、後段で詳述するように、ナプキン装着時の違和感を低減することを目的の一つとしているため、吸収体４の厚みは、約０．５〜２mmの範囲内とすることが好ましく、吸収体４の製造方法は、柔軟性に富むように積繊パルプ、エアレイド吸収体とすることが好ましい。なお、図示しないが、吸収体４は、排血口対応部が膨出した中高構造としても良い。
【００２３】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによりウイング状フラップＷ、Ｗが形成されている。
【００２４】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００２５】
本発明では特に、生理用ナプキン１の少なくとも前側部分及び後側部分におけるフラップ部Ｆの外形が、該フラップ部Ｆの外形線に対する接線の向きを連続的に変化させた凸状曲線１１，１３と凹状曲線と１２の組合せからなる波状の形状線１０とされ、ナプキン１の前側部分及び後側部分において、吸収体の形状は、両側の漸次幅が狭まる直線状の傾斜線４ａ、４ａと、中央部においてこれら傾斜線４ａ、４ａ同士を結合する円弧状線４ｂとにより画成されるとともに、これら傾斜線４ａ、４ａ及び円弧状線４ｂに沿って前記波状の形状線１０が形成されている。
【００２６】
更に詳細には図４に示されるように、、前記生理用ナプキン１の前側部分及び後側部分において、前記フラップ部Ｆの外形は、ナプキン１の幅方向中央部（中央先端部）では相対的に大きな曲率の凸状曲線１１とされ、両側の前記傾斜線４ａに沿って形成された前記波状の形状線１０は、吸収体４の傾斜線４ａと平行する直線に対してフラップ部Ｆの外形線に対する接線の向きが正負に連続的に変化するように、凸状曲線１３と凹状曲線１２とが交互に配された波状の曲線となっている。この場合、中央先端部に配置された凸状曲線１１は、半径２０〜３０mmの相対的に大きな曲率を有する曲線とし、両側の前記傾斜線４ａに沿って形成された前記波状の形状線１０部分は、半径１０〜１５mmの相対的に小さな曲率の凹状曲線１２と凸状曲線１３との組合せとするのが望ましい。
【００２７】
図３に示されるように、例えば着座時には、ショーツＳに対して両脚がＬＦ、ＬＦの位置となる。この場合、フラップ部Ｆの前側部分の両側には、脚の内側部分から押圧力がかかる。ところが、本生理用ナプキン１では、前側部分及び後側部分に前記波状の形状線１０が形成されているため、両側部分のフラップ部外形線に作用する押圧力が、波状の形状線の凹状曲線１２と凸状曲線１１，１３によって漸次的に作用するようになるとともに（力の作用箇所が間欠的となる。）、曲線によって力が逸らされることによって、フラップ部Ｆにシワを発生させない。また、仮にシワが生じても凸状曲線部分で収まり、内側部分まで伝播させないため、シワがフラップ部の内方にまで進展することを防止できる。
【００２８】
また、着座時に、脚がＬＦ、ＬＦの位置となるため、ショーツＳ自体には脚周りに沿って伸び縮みが生じ、このショーツＳの伸縮によって、ナプキン１にも摩擦によって圧縮力又は引張力が作用するようになるが、波状の形状線の凹状曲線１２と凸状曲線１１，１３によって漸次的に作用させるようになるとともに、曲線によって力が逸らされることによって、フラップ部Ｆにシワを発生しづらくする。
【００２９】
さらに、図４に示されるように、本生理用ナプキン１では、前側部分及び後側部分において、フラップ部Ｆは、生理用ナプキン１の中央先端部では吸収体４端縁から外形線までのフラップ幅Ｄ１を相対的に大きく形成し、両側の前記傾斜線４ａに沿って形成された波状の形状線１０の形成部分では吸収体４端縁から外形線までのフラップ幅Ｄ２を相対的に小さく形成している。これは、着座時や歩行時などにおいても脚にかからない生理用ナプキン１の中央先端部では、体液の前漏れに対応できるようにし、脚の付け根に当たる波状の形状線１０が形成された部分では、フラップ部Ｆにシワやヨレが発生しにくい構造としたものである。
【００３０】
一方、歩行時などにおいて、脚を前後に動かした場合、脚の動きに伴ってショーツＳも伸び縮みして、このときショーツＳには脚の動きの方向と直交する方向にシワがよる。具体的には、図５、図６に示されるように、歩行時の脚の動きに伴ってショーツＳが伸び縮みする方向は、ナプキン１の長手中心線に対して約１９°〜４０°、平均して約３６°の角度であることが発明者等の観察結果から明らかとされている。このとき、シワはショーツＳの動きに直交する方向に沿って発生し易くなるが、本生理用ナプキン１では、前側部分及び後側部分に前記波状の形状線１０が形成されているため、このショーツＳの動き方向のシワを発生させる力を漸次的に作用させるか、逸らすようにするためシワの発生を防止することができる。また、凸状曲線１１と、凸状曲線１３及び凹状曲線１２とは、外形線に対する接線の向きを連続的に変化させてあるため、ある程度の幅内で作用する様々な角度の力に対し対応することができる。
【００３１】
なお、前記波状の形状線１０は、シワを発生させる力を漸次的に作用させたり、逸らすように作用しなければならないため、外形線に対する接線が不連続となるようなギザ状の曲線は本発明から除かれる。
〔他の形態例〕
(1)前記波状の形状線１０のパターンは適宜変更することが可能である。すなわち、波状の形状線１０を形成している凸状曲線１１，１３と凹状曲線１２の曲率を任意に変化させるようにしても良い。例えばフラップ部Ｆの前側部分において、生理用ナプキン１の前側に形成される凸状曲線１１の曲率を、傾斜線４ａに沿って形成される凸状曲線１３や凹状曲線１２の曲率よりも小さくしても良いし、前側と後側とで凸状曲線と凹状曲線の曲率を変えるようにしてもよい。
(2)上記形態例では、側方にウイング状フラップＷ、Ｗが形成された生理用ナプキン１としていたが、図７(A)に示されるように、ウイング状フラップＷ、Ｗを有さないものについても同様に適用できる。さらに、同図(B)に示されるように、ウイング状フラップＷ、Ｗを省略した上で、側方のフラップ部Ｆの外形を、波状の形状線１０とすることもできる。これにより、股下部に生じるシワに対しても上記形態例と同様に対応することができるようになる。
【符号の説明】
【００３２】
１…生理用ナプキン、２…不透液性裏面シート、３…透液性表面シート、４…吸収体、５…クレープ紙、７…サイド不織布、Ｆ…フラップ部、Ｗ…ウイング状フラップ
【図１】
2010115558.tif 000003
【図２】
2010115558.tif 000004
【図３】
2010115558.tif 000005
【図４】
2010115558.tif 000006
【図５】
2010115558.tif 000007
【図６】
2010115558.tif 000008
【図７】
2010115558.tif 000009
【図８】
2010115558.tif 000010
【図９】
2010115558.tif 000011
【図１０】
2010115558.tif 000012